(57)【要約】【課題】前後二重のスクリーンの相対移動による採光量の調整時、更には昇降操作の切り替え時に、錘部材の大型化を抑えつつ錘部材が上下動することを抑制可能としたロールスクリーンを提供する。【解決手段】本発明のロールスクリーンは、１枚のスクリーンを錘部材で折り返し第１及び第２スクリーン５ａ，５ｂを構成し吊下するよう構成され、第２スクリーン５ｂの一端を取着して巻取り、或いは巻き戻し可能とする巻取軸４と、調光操作時に第１スクリーン５ａを移動調整するための支持体２０と、を備え、当該前後二重のスクリーンの昇降操作時は前記巻取軸の回転に対し前記支持体を停止させ前記調光操作時は前記巻取軸の回転に伴うスクリーンの可動方向に対し、前記支持体側に取着のスクリーンを逆方向に可動させる機構とを備える。【選択図】図１
2019085724.tif 000002
【特許請求の範囲】
【請求項１】
１枚のスクリーンを錘部材で折り返し前後二重のスクリーンを吊下するロールスクリーンであって、
前記スクリーンの一端を取着して巻取り、或いは巻き戻し可能とする巻取軸と、
前記スクリーンを錘部材で折り返した他端を取着して、当該前後二重のスクリーンの重なり具合を調節することによる調光操作時に該他端から吊下するスクリーンを移動調整するための支持体と、
当該前後二重のスクリーンの昇降操作時は前記巻取軸の回転に対し前記支持体を停止させ前記調光操作時は前記巻取軸の回転に伴うスクリーンの可動方向に対し、前記支持体側に取着のスクリーンを逆方向に可動させる機構と、
を備えることを特徴とするロールスクリーン。
【請求項２】
前記機構は、前記巻取軸を回転操作する操作装置側と反操作装置側のいずれか一方、又は双方に設けられていることを特徴とする、請求項１に記載のロールスクリーン。
【請求項３】
前記機構は、当該調光操作時に、前記巻取軸による巻き取り、或いは巻き戻し量と、対応する前記支持体による移動調整量はほぼ等しくするよう動作することを特徴とする、請求項１又は２に記載のロールスクリーン。
【請求項４】
前記機構は、前記巻取軸と一体となって回転する駆動歯車と、前記支持体を動作させるための被動歯車と、前記駆動歯車の回転を前記被動歯車に伝達する伝達歯車と、を備えることを特徴とする、請求項１から３のいずれか一項に記載のロールスクリーン。
【請求項５】
前記機構は、前記巻取軸と一体となって回転する駆動歯車と、前記駆動歯車の回転を基に回転し前記支持体を動作させるための被動歯車とを備えることを特徴とする、請求項１から３のいずれか一項に記載のロールスクリーン。
【請求項６】
前記支持体は当該調光操作時に当該他端を巻き取り、或いは巻き戻すよう回転するパイプで構成され、
前記機構は、前記パイプに係合形成される部位と、前記スライダーを支持する部材にて前記スライダーの動作を案内し所定の範囲内に制限する部位との当接・非当接で前記パイプの回転動作が阻止されている状態と、阻止されていない状態とを切り替えることにより、当該調光操作と当該昇降操作とを連続的に切り替え可能に構成されていることを特徴とする、請求項１から５のいずれか一項に記載のロールスクリーン。
【請求項７】
前記支持体は当該調光操作時に当該他端をスライド移動させるスライダーで構成され、
前記機構は、前記スライダーに係合形成される部位と、前記スライダーを支持する部材にて前記スライダーの動作を案内し所定の範囲内に制限する部位との当接・非当接で前記スライダーのスライド動作が阻止されている状態と、阻止されていない状態とを切り替えることにより、当該調光操作と当該昇降操作とを連続的に切り替え可能に構成されていることを特徴とする、請求項１から５のいずれか一項に記載のロールスクリーン。
【請求項８】
前記機構による切り替え状態を保持するための制動部材を備えることを特徴とする、請求項１から７のいずれか一項に記載のロールスクリーン。
【発明の詳細な説明】
【技術分野】
【０００１】
本発明は、複数枚のスクリーンを重ね合わせた状態で吊下支持するロールスクリーンに関し、特に、そのスクリーンの重なり方を調節することにより、室内への採光量を調整可能としたロールスクリーンに関する。
【背景技術】
【０００２】
従来、二重に重ね合わせたスクリーンを上下方向に相対移動させて室内への採光量を調節可能としたロールスクリーンが知られている。
【０００３】
このようなロールスクリーンでは、スクリーンに、光を一部透過させる透光部と、光を遮る遮光部とが縞状に交互に形成され、このスクリーンが二重に重ね合わされた状態で吊下支持されている。そして、操作手段の操作により、前後のスクリーンを上下方向に相対移動させて、透光部と遮光部との重なり具合を調整することにより、採光量を調節可能となっている。
【０００４】
特に、２枚のスクリーンを重ね合わせ、それぞれのスクリーンの上端部をそれぞれ別個の巻取軸に巻き取り、或いは巻き戻してスクリーンを昇降可能としたロールスクリーンが開示されている（例えば、特許文献１参照）。特許文献１に開示されるロールスクリーンでは、操作紐の操作により、常には各巻取軸が同期して同方向に回転されて、２枚のスクリーンが同時に昇降される。また、採光量の調整時には、スクリーンの昇降操作の後、操作紐を逆方向に操作すると、一方の巻取軸のみが所定の回転角度内で回転されて、透光部と遮光部が上下方向に相対移動することにより、透光部に対する遮光部の重なり幅を調整し採光量を調節可能としている。尚、特許文献１に開示されるロールスクリーンでは、スクリーンの相対移動範囲を外部から調整可能としている。
【０００５】
一方、２枚のスクリーンを重ね合わせ、それぞれのスクリーンの上端部を二重構造の巻取軸で巻き取り、或いは巻き戻してスクリーンを昇降可能としたロールスクリーンが開示されている（例えば、特許文献２参照）。特許文献２の技法では、それぞれのスクリーンの下端部にそれぞれ個別に２つのウェイトバーを取着し、この２つのウェイトバーを収容する単一のカバーを設け、このカバーを２つのウェイトバーに対し自重により相対移動可能にして、透光部に対する遮光部の重なり幅を調整する際に、２つのウェイトバーの相対的な上下動をそのカバー内部で行わせるように構成している。
【先行技術文献】
【特許文献】
【０００６】
【特許文献１】特許第５５３９８３６号明細書
【特許文献２】特許第４８００８７６号明細書
【発明の概要】
【発明が解決しようとする課題】
【０００７】
特許文献１に開示される技法では、透光部に対する遮光部の重なり幅を調整して採光量を調節する際に、スクリーンの下限に設けられるウェイトバーの高さが上下動してしまうという問題がある。このようなウェイトバーの高さの上下動が生じると、ウェイトバーの下端部からの光漏れが生じることや、気密性を損なうなどの問題が生じる。
【０００８】
また、特許文献２に開示される技法では、２つのウェイトバーを収容する単一のカバーが当該採光量の調整に必要な分だけ高さ方向に大型化してしまい意匠性を損なうという問題がある。
【０００９】
このため、前後二重のスクリーンの相対移動による採光量の調整時、更には昇降操作の切り替え時に、錘部材（ウェイトバー及びボトムカバー）の大型化を抑えつつウェイトバーの上下動を抑制し、特に下限位置にある錘部材により、採光量を調節可能な態様でその下方からの光漏れを抑制することや、通気量を調節可能な態様で気密性を高める技法が望まれる。
【００１０】
本発明の目的は、上述の問題に鑑みて、前後二重のスクリーンの相対移動による採光量の調整時、更には昇降操作の切り替え時に、錘部材の大型化を抑えつつ錘部材が上下動することを抑制可能としたロールスクリーンを提供することにある。
【課題を解決するための手段】
【００１１】
本発明のロールスクリーンは、１枚のスクリーンを錘部材で折り返し前後二重のスクリーンを吊下するロールスクリーンであって、前記スクリーンの一端を取着して巻取り、或いは巻き戻し可能とする巻取軸と、前記スクリーンを錘部材で折り返した他端を取着して、当該前後二重のスクリーンの重なり具合を調節することによる調光操作時に該他端から吊下するスクリーンを移動調整するための支持体と、当該前後二重のスクリーンの昇降操作時は前記巻取軸の回転に対し前記支持体を停止させ前記調光操作時は前記巻取軸の回転に伴うスクリーンの可動方向に対し、前記支持体側に取着のスクリーンを逆方向に可動させる機構と、を備えることを特徴とする。
【００１２】
また、本発明のロールスクリーンにおいて、前記機構は、前記巻取軸を回転操作する操作装置側と反操作装置側のいずれか一方、又は双方に設けられていることを特徴とする。
【００１３】
また、本発明のロールスクリーンにおいて、前記機構は、当該調光操作時に、前記巻取軸による巻き取り、或いは巻き戻し量と、対応する前記支持体による移動調整量はほぼ等しくするよう動作することを特徴とする。
【００１４】
また、本発明のロールスクリーンにおいて、前記機構は、前記巻取軸と一体となって回転する駆動歯車と、前記支持体を動作させるための被動歯車と、前記駆動歯車の回転を前記被動歯車に伝達する伝達歯車と、を備えることを特徴とする。
【００１５】
また、本発明のロールスクリーンにおいて、前記機構は、前記巻取軸と一体となって回転する駆動歯車と、前記駆動歯車の回転を基に回転し前記支持体を動作させるための被動歯車とを備えることを特徴とする。
【００１６】
また、本発明のロールスクリーンにおいて、前記支持体は当該調光操作時に当該他端を巻き取り、或いは巻き戻すよう回転するパイプで構成され、前記機構は、前記パイプに係合形成される部位と、前記スライダーを支持する部材にて前記スライダーの動作を案内し所定の範囲内に制限する部位との当接・非当接で前記パイプの回転動作が阻止されている状態と、阻止されていない状態とを切り替えることにより、当該調光操作と当該昇降操作とを連続的に切り替え可能に構成されていることを特徴とする。
【００１７】
また、本発明のロールスクリーンにおいて、前記支持体は当該調光操作時に当該他端をスライド移動させるスライダーで構成され、前記機構は、前記スライダーに係合形成される部位と、前記スライダーを支持する部材にて前記スライダーの動作を案内し所定の範囲内に制限する部位との当接・非当接で前記スライダーのスライド動作が阻止されている状態と、阻止されていない状態とを切り替えることにより、当該調光操作と当該昇降操作とを連続的に切り替え可能に構成されていることを特徴とする。
【００１８】
また、本発明のロールスクリーンにおいて、前記機構による切り替え状態を保持するための制動部材を備えることを特徴とする。
【発明の効果】
【００１９】
本発明によれば、前後二重のスクリーンを相対移動させる際に、特に、前後二重のスクリーンの相対移動による採光量の調整時、更には昇降操作の切り替え時に、錘部材の大型化を抑えつつ錘部材の上下動を抑制可能となる。
【図面の簡単な説明】
【００２０】
【図１】本発明による一実施形態のロールスクリーンの概略構成を示す正面図である。
【図２】本発明による一実施形態のロールスクリーンの概略構成を示す断面側面図である。
【図３】本発明による一実施形態のロールスクリーンにおける一実施例の伝達機構及び切り替え機構の概略構成を示す分解斜視図である。
【図４】（ａ），（ｂ）は、それぞれ本発明に係る一実施例の切り替え機構のクラッチ動作を示す側面図である。
【図５】（ａ），（ｂ），（ｃ）は、それぞれ本発明による一実施形態のロールスクリーンにおける下降操作時、反転切り替えによる調光操作時、及び上昇操作時の動作を概略的に示す断面側面図である。
【図６】本発明による変形例１のロールスクリーンの概略構成を示す断面側面図である。
【図７】本発明による変形例２のロールスクリーンにおける一実施例の伝達機構を備える操作装置の概略構成を示す分解斜視図である。
【図８】（ａ），（ｂ）は、それぞれ本発明による変形例２のロールスクリーンにおける下降操作に係る調光操作時、及び上昇操作に係る調光操作時の動作を概略的に示す断面側面図である。
【発明を実施するための形態】
【００２１】
以下、図面を参照して、本発明による各実施形態のロールスクリーンを説明する。尚、本願明細書中、図１に示すロールスクリーンの正面図に対して、図示上方及び図示下方をスクリーンの吊り下げ方向に準じてそれぞれ上方向（又は上側）及び下方向（又は下側）と定義し、図示左方向をロールスクリーンの左側、及び、図示右方向をロールスクリーンの右側と定義して説明する。また、以下に説明する例では、図１に示すロールスクリーンの正面図に対して、視認する側を前側（又は室内側）、その反対側を後側（又は室外側）とする。
【００２２】
（ロールスクリーンの構成）
まず、本発明による一実施形態のロールスクリーンを図面に従って説明する。図１及び図２に示す一実施形態のロールスクリーンは、取付ブラケット１を介して窓枠等の取付面に取着されるフレーム２の左右両端にそれぞれの支持ブラケット３ａ，３ｂが取着され、支持ブラケット３ａ，３ｂ間に１本のパイプ状の巻取軸４が回転可能に支持されている。左右両端の支持ブラケット３ａ，３ｂの各々には、その外面を覆うサイドカバー３ｃがそれぞれ固着されている。ただし、図１及び図２に示す各サイドカバー３ｃは、１本のパイプ状の支持体２０（破線図示）を調光範囲内で回転可能に支持するよう支持ブラケット３ａ，３ｂの各々の後方から一部が突出している。
【００２３】
即ち、図１及び図２に示す実施形態では、左右両側のサイドカバー３ｃ間にパイプ状の支持体２０が回転可能に設けられている。本例のパイプ状の支持体２０は、巻取軸４よりも小径で構成されている。
【００２４】
巻取軸４及び支持体２０は、互いに支持ブラケット３ａ，３ｂに対し上下方向に所定の間隔を隔てて支持されるとともに、前後方向に僅かにオフセットした状態で支持されている。
【００２５】
支持体２０には室外側の第１スクリーン５ａの上端部が取着され、巻取軸４には室内側の第２スクリーン５ｂの上端部が取着されている。そして、第１及び第２スクリーン５ａ，５ｂはそれぞれ支持体２０及び巻取軸４から近接して重ね合わされるように垂下されている。また、図１及び図２に示す実施形態では、巻取軸４の室外側から垂下するよう第２スクリーン５ｂを支持し、支持体２０の室内側から垂下するよう第１スクリーン５ａを支持している。
【００２６】
そして、図２に示すように、本実施形態のロールスクリーンは、１枚のスクリーンをウェイトバー６で折り返し前後二重の第１及び第２スクリーン５ａ，５ｂを構成して吊下するようになっている。ウェイトバー６の両端は上方を開口したボトムカバー７に回転可能に支持されている。そして、第１及び第２スクリーン５ａ，５ｂはボトムカバー７内からその開口部へ経て上方へ案内されている。このようなウェイトバー６及びボトムカバー７は、錘部材として構成される。
【００２７】
詳細は後述するが、図２に示すように、巻取軸４の一端側（本例では右端側）には巻取軸４と一体となって回転する駆動歯車３３が設けられている。本例では右端側のサイドカバー３ｃには、その駆動歯車３３と噛合する伝達歯車３２、及び伝達歯車３２と噛合する被動歯車３１が設けられている。被動歯車３１は、支持体２０の一端側（本例では右端側）に設けられ、被動歯車３１の回転は調光時のみ支持体２０に回転伝達するようになっている。即ち、被動歯車３１、伝達歯車３２、及び駆動歯車３３は、調光操作時に巻取軸４の回転を基に支持体２０を可動させる伝達機構３０として構成される。
【００２８】
巻取軸４内には、それぞれ第２スクリーン５ｂの巻上時の操作力を軽減するスプリングモーター、及び巻取軸４の回転トルクに所定の制動力を付与するブレーキユニット等が収容されている（図示せず）。
【００２９】
第１及び第２スクリーン５ａ，５ｂは、光を透過する透光部８と、光を遮光する遮光部９が等間隔で上下方向に縞状に形成されている。そして、第１及び第２スクリーン５ａ，５ｂの各透光部８が前後方向で重なる状態では、その透光部８から外光を採り入れ可能であり、第１スクリーン５ａの透光部８と第２スクリーン５ｂの遮光部９が前後方向で重なり、第１スクリーン５ａの遮光部９と第２スクリーン５ｂの透光部８が前後方向で重なる状態では、外光を遮断可能となっている。
【００３０】
尚、第１及び第２スクリーン５ａ，５ｂに設けられる透光部８は高通気性とし、遮光部９は低通気性を持つよう構成することができる。従って、透光部８に対する遮光部９の重なり幅を調整することで、その通気性を調節することもできる。
【００３１】
図１に示す右方の支持ブラケット３には操作装置１０が設けられている。操作装置１０は、回転可能に軸支されるプーリー１５を備えており、このプーリー１５に無端状のボールチェーン１１が掛装されている。プーリー１５は巻取軸４に対し相対回転不能に嵌着される。そして、ボールチェーン１１の操作により、プーリー１５を正逆回転させると巻取軸４を同方向に回転させることができる。巻取軸４の回転によって第２スクリーン５ｂの巻き取り、或いは巻き戻しを行うことができ、これにより第１及び第２スクリーン５ａ，５ｂを一括して昇降させる昇降操作や、その昇降操作の切り替え時に第１及び第２スクリーン５ａ，５ｂの重なり具合を調節することによる調光操作が可能となる。
【００３２】
このように、本実施形態のロールスクリーンは、透光部８及び遮光部９を有する１枚のスクリーンを錘部材（ウェイトバー６及びボトムカバー７）で折り返し前後二重の第１及び第２スクリーン５ａ，５ｂを構成し、第２スクリーン５ｂの巻き取り、或いは巻き戻しを行う巻取軸４と、第１及び第２スクリーン５ａ，５ｂにおける透光部８と遮光部９との重なり具合を調節することによる調光操作時に第１スクリーン５ａを移動調整するための支持体２０と、当該調光操作時に巻取軸４の回転を基に支持体２０を可動させる伝達機構３０（被動歯車３１、伝達歯車３２、及び駆動歯車３３）とを備え、尚且つ、以下に説明するように、第１及び第２スクリーン５ａ，５ｂを一括して昇降させる昇降操作では巻取軸４の回転に対し支持体２０を停止させ、調光操作時では巻取軸４の回転に対し支持体２０を可動させる切り替え機構（パイプキャップ２１の係合片２１３、ブレーキバネ２３、及びサイドカバー３ｃの係合片４２１）を備え、切り替え機構により調光時に錘部材の上下動を抑制するようになっている。
【００３３】
（伝達機構及び切り替え機構）
より具体的に、図３及び図４を参照して、本実施形態に係る伝達機構３０（被動歯車３１、伝達歯車３２、及び駆動歯車３３）及び切り替え機構（パイプキャップ２１の係合片２１３、ブレーキバネ２３、及びサイドカバー３ｃの係合片４２１）の構成について説明する。図３に示すように、本実施形態における伝達機構３０及び切り替え機構は、操作装置１０が設けられている支持ブラケット３ａ側に設けられている。ただし、伝達機構３０及び切り替え機構は、操作装置１０が設けられていない支持ブラケット３ｂ側に設けてもよく、例えば操作装置１０を図１に示すように巻取軸４の右端側に設けているときに、巻取軸４の左端側に伝達機構３０及び切り替え機構を設けてもよい。
【００３４】
まず、本実施形態において、図３に示すように、操作装置１０が設けられている支持ブラケット３ａには、その外面を覆うサイドカバー３ｃが固着されている。
【００３５】
また、操作装置１０には図３では図示を省略しているプーリー１５が収容され、このプーリー１５と同軸上に駆動歯車３３が配置され、プーリー１５の回転と一体となって駆動歯車３３が回転するよう、本例ではプーリー１５と駆動歯車３３が一体成形されている。
【００３６】
そして、伝達機構３０（被動歯車３１、伝達歯車３２、及び駆動歯車３３）をブレーキバネ２３とともに支持ブラケット３ａ及びサイドカバー３ｃに配設し、カバー２２によって蓋着されるようになっている。
【００３７】
駆動歯車３３はカバー２２の支持孔２２３にも回転可能に支持され、駆動歯車３３には左方に突出する嵌合片３３１が形成されている。この嵌合片３３１が巻取軸４の嵌合受部４０１と嵌合することで駆動歯車３３と巻取軸４が連結され、駆動歯車３３が回転すると巻取軸４が一体となって回転する。巻取軸４には生地押さえ（図示せず）を利用して第２スクリーン５ｂの上端を取着するための取着部４０２が形成されている。
【００３８】
伝達歯車３２は駆動歯車３３と噛合するよう構成され、伝達歯車３２の回転軸上には円筒軸３２１が形成されている。そして、円筒軸３２１を貫通するよう設けられた貫通孔３２２が、サイドカバー３ｃに設けられた柱状の軸支持部４１に貫通支持されることで、駆動歯車３３が回転すると伝達歯車３２が同期して逆方向に回転する。
【００３９】
被動歯車３１は伝達歯車３２と噛合するよう構成され、被動歯車３１の回転軸上には貫通孔３１１が形成されている。この被動歯車３１の貫通孔３１１に、カバー２２の支持孔２２１を経て、パイプキャップ２１の円筒部２１２が相対回転可能に貫通される。これにより、伝達歯車３２が回転すると被動歯車３１が同期して逆方向に回転する。即ち、駆動歯車３３が回転すると、伝達歯車３２を経て被動歯車３１が同期して同方向に回転する。
【００４０】
そして、被動歯車３１の貫通孔３１１にパイプキャップ２１の円筒部２１２が貫通された状態で、ブレーキバネ２３が、その円筒部２１２の周壁を締め付けるように係着される。このとき、ブレーキバネ２３の両端部２３ａが、被動歯車３１から右方に突出する突出片３１２の両側部に対し所定の遊びを持って係合される。
【００４１】
このブレーキバネ２３の作用により、被動歯車３１はパイプキャップ２１の円筒部２１２に対し所定の制動トルクが付与され、パイプキャップ２１の回転が阻止されていない状態では、被動歯車３１が回転するとパイプキャップ２１も同期して同方向に回転する。一方で、パイプキャップ２１の回転が阻止されている状態では、ブレーキバネ２３の制動トルクが緩和してブレーキバネ２３がパイプキャップ２１の円筒部２１２に対し滑りが生じ、回転しないパイプキャップ２１に対し被動歯車３１は相対回転可能である。
【００４２】
パイプキャップ２１の回転が阻止されている状態と、阻止されていない状態との切り替えに関して説明する。まず、パイプキャップ２１には、右方に突出する円筒部２１２が形成されている。この円筒部２１２の内周面（穿孔）が、サイドカバー３ｃに設けられた柱状の軸支持部４２に回転可能に支持される。そして、パイプキャップ２１の円筒部２１２の先端の一部には係合片２１３が形成されている。一方で、サイドカバー３ｃの軸支持部４２の外周上の一部にも係合片４２１が形成されている。
【００４３】
このため、パイプキャップ２１が軸支持部４２に回転可能に支持されると、図４（ａ）に示す係合片４２１の一方端に係合片２１３の一方端が当接する状態から、図４（ｂ）に示す係合片４２１の他方端に係合片２１３の他方端が当接する状態までの範囲で、パイプキャップ２１の回転が許容されるようになる。従って、パイプキャップ２１の係合片２１３と、サイドカバー３ｃの係合片４２１との当接・非当接で、パイプキャップ２１の回転が阻止されている状態と、阻止されていない状態との切り替えが可能となる。そして、パイプキャップ２１の回転が阻止されている状態は昇降操作時に対応させ、パイプキャップ２１の回転が阻止されていない状態は調光操作に対応させている。
【００４４】
図３に示すように、パイプキャップ２１はパイプ状の支持体２０の端部に嵌着される。このため、パイプキャップ２１には左方に突出する図示するような変形凸状の嵌合突起部２１１が形成されており、支持体２０の嵌合受部２０１と嵌合させることで、パイプキャップ２１が回転するとパイプ状の支持体２０が一体となって回転する。支持体２０には生地押さえ（図示せず）を利用して第１スクリーン５ａの上端を取着するための取着部２０２が形成されている。尚、支持体２０の径とウェイトバー６の径はほぼ同径とする。特に本例では、パイプ状の支持体２０をウェイトバー６と同径・同形状とし、部材の汎用化を図り低コスト化が実現される。
【００４５】
このように伝達機構３０（被動歯車３１、伝達歯車３２、及び駆動歯車３３）がブレーキバネ２３とともに支持ブラケット３ａ及びサイドカバー３ｃに配設され、カバー２２によって蓋着される。カバー２２は、その右方に突起する円柱部２２４をサイドカバー３ｃの穿孔４３に係合させ、取付ネジ２４によってカバー２２の挿通孔２２２を経て、伝達歯車３２の円筒軸３２１を貫通支持するサイドカバー３ｃの軸支持部４１の先端に締着することで固定される。
【００４６】
このように、本実施形態のロールスクリーンには、第２スクリーン５ｂの巻き取り、或いは巻き戻しを行う巻取軸４、第１スクリーン５ａを移動調整するための支持体２０、伝達機構３０（被動歯車３１、伝達歯車３２、及び駆動歯車３３）、及び切り替え機構（パイプキャップ２１、ブレーキバネ２３、及びサイドカバー３ｃ）が設けられ、巻取軸４と伝達機構３０によりプーリー１５の正逆回転の切り替えに基づいて昇降操作から調光操作へと連続的に切り替えることができ、支持体２０と切り替え機構（パイプキャップ２１、ブレーキバネ２３、及びサイドカバー３ｃ）により調光時に錘部材の上下動を抑制するようになっている。
【００４７】
（ロールスクリーンの全体動作）
ここで、図５を参照してロールスクリーンの全体動作を説明する。ここでは、下降操作から、調光操作を経て、上昇操作へと連続的に移行する例を説明する。
【００４８】
〔下降操作時〕
図５（ａ）には本実施形態のロールスクリーンの下降操作時の動作を概略的に示している。まず、図５（ａ）に示す第１及び第２スクリーン５ａ，５ｂの下降操作の際には、プーリー１５の回転に伴って伝達機構３０（被動歯車３１、伝達歯車３２、及び駆動歯車３３）が図示するように作動し、巻取軸４が第２スクリーン５ｂの巻き戻し方向に回転する。このとき、パイプキャップ２１の係合片２１３と、サイドカバー３ｃの係合片４２１とが一方端で当接し（図４（ａ）参照）、パイプキャップ２１の回転が阻止されている状態であり、このため第１スクリーン５ａの上端を取着するパイプ状の支持体２０は回転停止している。
【００４９】
そして、図５（ａ）に示すようにボトムカバー７が床面から高さｈ（≧０）の位置となる下限位置まで下降させることができ、例えば下限位置で第１スクリーン５ａの透光部８と第２スクリーン５ｂの遮光部９が前後方向で重なり、第１スクリーン５ａの遮光部９と第２スクリーン５ｂの透光部８が前後方向で重なる状態となった遮蔽状態とすることができる。
【００５０】
〔調光操作時〕
図５（ｂ）には本実施形態のロールスクリーンの下降操作から切り替えた調光操作時の動作を概略的に示している。図５（ｂ）に示す第１及び第２スクリーン５ａ，５ｂの調光操作の際には、プーリー１５の逆回転に伴って伝達機構３０（被動歯車３１、伝達歯車３２、及び駆動歯車３３）が図示するように作動し、巻取軸４が第２スクリーン５ｂの巻き取り方向に回転する。このとき、切り替え機構（パイプキャップ２１、ブレーキバネ２３、及びサイドカバー３ｃ）の作動により、パイプキャップ２１の係合片２１３と、サイドカバー３ｃの係合片４２１とが非当接となり、パイプキャップ２１の回転が阻止されていない状態となって、支持体２０は、図４（ａ）に示す係合片４２１の一方端に係合片２１３の一方端が当接する状態から、図４（ｂ）に示す係合片４２１の他方端に係合片２１３の他方端が当接する状態までの範囲で回転可能であり、伝達機構３０の作動に応じて第１スクリーン５ａを下降させる（支持体２０に所定量巻き取られていた生地が吐出される）。
【００５１】
尚、パイプキャップ２１の回転が阻止されていない状態であればプーリー１５の正逆回転に伴って伝達機構３０の作動に応じてパイプ状の支持体２０は正逆回転し、第１スクリーン５ａを上昇・下降させることができる。伝達機構３０は、ウェイトバー６で折り返されて巻取軸４で巻き取り、或いは巻き戻す第２スクリーン５ｂの移動量（即ち、第２スクリーン５ｂの巻き取り・巻き戻し量）と、対応して第１スクリーン５ａを下降、或いは上昇させる移動調整量（即ち、第１スクリーン５ａの吐き出し・巻き取りに係る調整量）をほぼ等しくするよう動作する。
【００５２】
従って、図５（ｂ）に示す第１及び第２スクリーン５ａ，５ｂの調光操作の際には、ウェイトバー６で折り返されて移動するスクリーンの移動量（即ち、第２スクリーン５ｂの巻き取り量）と、第１スクリーン５ａを下降させる下降量はほぼ等しいため、ウェイトバー６及びボトムカバー７は上下動しない。そして、第１及び第２スクリーン５ａ，５ｂを互いに逆方向上下に相対移動操作が可能であり、即ち透光部８と遮光部９との重なり具合を調整し採光量を調節可能とする調光操作が可能となる。
【００５３】
このように、調光操作の際には、プーリー１５を正逆回転させてもボトムカバー７の下方の光漏れを増大させるようなウェイトバー６及びボトムカバー７が上下動することはないため、調光操作の使い勝手が向上したものとなる。
【００５４】
〔上昇操作時〕
図５（ｃ）には本実施形態のロールスクリーンの調光操作から連続して移行する上昇操作時の動作を概略的に示している。図５（ｃ）に示す第１及び第２スクリーン５ａ，５ｂの上昇操作の際には、プーリー１５の回転に伴って伝達機構３０（被動歯車３１、伝達歯車３２、及び駆動歯車３３）が図示するように作動し、巻取軸４が第２スクリーン５ｂの巻き取り方向に回転する。このとき、パイプキャップ２１の係合片２１３と、サイドカバー３ｃの係合片４２１とが他方端で当接し（図４（ｂ）参照）、パイプキャップ２１の回転が阻止されている状態であり、このため第１スクリーン５ａの上端を取着するパイプ状の支持体２０は回転停止している（支持体２０に生地が所定量巻き取られた状態で停止）。これによりウェイトバー６及びボトムカバー７を調光操作からの連続動作で上昇させることができる。
【００５５】
このように、本実施形態では、第１及び第２スクリーン５ａ，５ｂを一括して昇降操作した後に、ボールチェーン１１を逆方向に操作して、駆動歯車３３を逆方向に回転させたときウェイトバー６及びボトムカバー７はほとんど上下動しない調光操作が可能となる。
【００５６】
そして、本実施形態のロールスクリーンにおける調光動作は、ウェイトバー６及びボトムカバー７が下限位置であるか否かに関わらず同様に動作するため、ウェイトバー６及びボトムカバー７の任意位置での調光機能、或いは通気調整機能を持たせたロールスクリーンを実現できる。
【００５７】
特に、ボトムカバー７が下限位置にあるときに、採光量を調節可能な態様でボトムカバー７の下方からの光漏れを抑制することや、通気量を調節可能な態様でボトムカバー７の下方からの気密性を高めることができる。
【００５８】
また、本実施形態に係るウェイトバー６及びボトムカバー７の上下動抑制構造によれば、特許文献２の技法のように、それぞれのスクリーンの下端部にそれぞれ個別に２つのウェイトバーを取着し、この２つのウェイトバーを収容する単一のカバーを設け、このカバーを２つのウェイトバーに対し自重により相対移動可能に構成するよりも、ウェイトバー６及びボトムカバー７の小型化にも寄与することとなる。
【００５９】
また、本実施形態に係る伝達機構３０（被動歯車３１、伝達歯車３２、及び駆動歯車３３）では、前後二重の第１及び第２スクリーン５ａ，５ｂをより近接、或いは密着させる構成としており、その上でウェイトバー６及びボトムカバー７を上下動させることなく、尚且つ第１及び第２スクリーン５ａ，５ｂの弛みを生じさせることなく、採光量の調節動作を行うことができるため、使い勝手が向上する。
【００６０】
尚、本実施形態では、図２に示すように、伝達機構３０を被動歯車３１、伝達歯車３２、及び駆動歯車３３により構成し、巻取軸４の室外側から垂下するよう第２スクリーン５ｂを支持し、支持体２０の室内側から垂下するよう第１スクリーン５ａを支持している。
【００６１】
（変形例１）
一方、図６に示すように、変形例１の伝達機構３０として伝達歯車３２を省略し、被動歯車３１及び駆動歯車３３により構成してもよい。この場合、例えば、巻取軸４の室外側から垂下するよう第２スクリーン５ｂを支持し、支持体２０の室外側から垂下するよう第１スクリーン５ａを支持する構成とすることで、同様の効果を得ることができる。ただし、図６に示す変形例１の構成では、図２に示す構成と比較して、前後二重の第１及び第２スクリーン５ａ，５ｂを近接、或いは密着させる観点からは不利になるが、支持ブラケット３ａ，３ｂの後方から突出するサイドカバー３Ｃの部位のサイズをより小さくすることが容易になるという利点がある。
【００６２】
（変形例２）
図７は、本発明による変形例２のロールスクリーンにおける一実施例の伝達機構及び切り替え機構の概略構成を示す分解斜視図である。
【００６３】
変形例２のロールスクリーンは、前述した図１に示すものと同様に、透光部８及び遮光部９を有する１枚のスクリーンを錘部材（ウェイトバー６及びボトムカバー７）で折り返し前後二重の第１及び第２スクリーン５ａ，５ｂを構成し、第２スクリーン５ｂの巻き取り、或いは巻き戻しを行う巻取軸４と、調光操作時に第１スクリーン５ａを移動調整するための支持体２０と、調光操作時に巻取軸４の回転を基に支持体２０を可動させる伝達機構３０（被動歯車３１、及び駆動歯車３３）と、昇降操作では巻取軸４の回転に対し支持体２０を停止させ、調光操作時では巻取軸４の回転に対し支持体２０を可動させる切り替え機構（伝達歯車３２Ａ、及びブレーキバネ２３）を備え、切り替え機構により調光時に錘部材の上下動を抑制するようになっている。
【００６４】
ただし、変形例２のロールスクリーンは、支持体２０を板状のスライダー５０で構成している点、並びに、サイドカバー３ｃ、伝達機構３０、及び切り替え機構の構成が異なる点で相違しているため、以下、詳細に説明する。
【００６５】
（スライダーによる支持体）
変形例２のロールスクリーンでは、前述した図１に示す支持体２０を、図７に示すような板状のスライダー５０で構成している。スライダー５０の左右両端部５０１は、図１に示すフレーム２の左右両端の支持ブラケット３ａ，３ｂに固着されるサイドカバー３ｃ間にスライド移動可能に支持され、より具体的には、図７に示すように、サイドカバー３ｃに形成される案内溝４４に係合し、所定の範囲内（第１スクリーン５ａの移動調整量）で上下方向にスライド移動可能に支持される。本例では上下方向にスライド移動するスライダー５０を例示しているが、前後方向或いは前後・上下に斜め方向にスライドする構成や、直線状でなくとも曲線状にスライドする構成とすることもできる。スライダー５０の下端には、生地押さえ（図示せず）を利用して第１スクリーン５ａの上端を取着するための取着部５０２が形成されている。また、スライダー５０の右端近傍には、ピニオンギヤとして機能する伝達歯車３２Ａと噛合するラック部５０２が形成されている。尚、伝達歯車３２Ａ及びラック部５０２の係合により、スライダー５０のスライド移動を伝達する構成とする代わりに、ゴム材等の高摩擦体を利用して、スライダー５０のスライド移動を伝達する構成としてもよい。
【００６６】
（伝達機構及び切り替え機構）
変形例２のロールスクリーンにおける伝達機構３０及び切り替え機構の構成について説明する。図７に示すように、変形例２のロールスクリーンに係る伝達機構３０は、被動歯車３１、及び駆動歯車３３により構成される。また、変形例２のロールスクリーンに係る切り替え機構は、伝達歯車３２Ａ、及びブレーキバネ２３により構成される。
【００６７】
変形例２のロールスクリーンにおける伝達機構３０及び切り替え機構は、操作装置１０が設けられている支持ブラケット３ａ側に設けられている。ただし、伝達機構３０及び切り替え機構は、操作装置１０が設けられていない支持ブラケット３ｂ側に設けてもよく、例えば操作装置１０を図１に示すように巻取軸４の右端側に設けているときに、巻取軸４の左端側に伝達機構３０及び切り替え機構を設けてもよい。
【００６８】
まず、変形例２において、図７に示すように、操作装置１０が設けられている支持ブラケット３ａには、その外面を覆うサイドカバー３ｃが固着されている。
【００６９】
また、操作装置１０には図７では図示を省略しているプーリー１５が収容され、このプーリー１５と同軸上に駆動歯車３３が配置され、プーリー１５の回転と一体となって駆動歯車３３が回転するよう、本例でもプーリー１５と駆動歯車３３が一体成形されている。
【００７０】
駆動歯車３３には左方に突出する嵌合片３３１が形成されている。この嵌合片３３１が巻取軸４の嵌合受部４０１と嵌合することで駆動歯車３３と巻取軸４が連結され、駆動歯車３３が回転すると巻取軸４が一体となって回転する。巻取軸４には生地押さえ（図示せず）を利用して第２スクリーン５ｂの上端を取着するための取着部４０２が形成されている。
【００７１】
被動歯車３１は駆動歯車３３と噛合するよう構成され、被動歯車３１の回転軸上には貫通孔３１１が形成されている。この被動歯車３１の貫通孔３１１に、伝達歯車３２Ａの円筒軸３２１が相対回転可能に貫通される。これにより、駆動歯車３３が回転すると被動歯車３１が同期して逆方向に回転する。
【００７２】
伝達歯車３２Ａはスライダー５０のラック部５０２と噛合するよう構成され、伝達歯車３２Ａの回転軸上には円筒軸３２１が形成されている。そして、円筒軸３２１を貫通するよう設けられた貫通孔３２２が、サイドカバー３ｃに設けられた柱状の軸支持部４１に貫通支持される。また、伝達歯車３２Ａは、取付ネジ２４によって、ワッシャ２５を経て、伝達歯車３２Ａの貫通孔３２２を貫通支持する軸支持部４１の先端に締着されることで回転可能に支持される。
【００７３】
そして、被動歯車３１の貫通孔３１１に伝達歯車３２Ａの円筒軸３２１が貫通された状態で、ブレーキバネ２３が、その円筒軸３２１の周壁を締め付けるように係着される。このとき、ブレーキバネ２３の両端部２３ａが、被動歯車３１から右方に突出する突出片３１２の両側部に対し所定の遊びを持って係合される。
【００７４】
このブレーキバネ２３の作用により、被動歯車３１は伝達歯車３２Ａの円筒軸３２１に対し所定の制動トルクが付与され、伝達歯車３２Ａの回転が阻止されていない状態では、被動歯車３１が回転すると伝達歯車３２Ａも同期して同方向に回転する。一方で、伝達歯車３２Ａの回転が阻止されている状態では、ブレーキバネ２３の制動トルクが緩和してブレーキバネ２３が伝達歯車３２Ａの円筒軸３２１に対し滑りが生じ、回転しない伝達歯車３２Ａに対し被動歯車３１は相対回転可能である。
【００７５】
伝達歯車３２Ａの回転が阻止されている状態と、阻止されていない状態との切り替えに関して説明する。まず、伝達歯車３２Ａはスライダー５０のラック部５０２と噛合するよう構成される。従って、伝達歯車３２Ａの回転に伴ってスライダー５０はスライド移動する。ただし、スライダー５０の左右両端部５０１は、サイドカバー３ｃに形成される案内溝４４に係合し、所定の範囲内（第１スクリーン５ａの移動調整量）でしかスライド移動することはできない。
【００７６】
このため、スライダー５０の一方端（例えば上端）が案内溝４４の一方端（例えば上端）に当接する状態から、スライダー５０の他方端（例えば下端）が案内溝４４の他方端（例えば下端）に当接する状態までの範囲で、スライダー５０の移動量が許容されるようになる。従って、スライダー５０の上下方向の端部と、案内溝４４の上下方向の端部との当接・非当接で、伝達歯車３２Ａの回転が阻止されている状態と、阻止されていない状態との切り替えが可能となる。そして、伝達歯車３２Ａの回転が阻止されている状態は昇降操作時に対応させ、伝達歯車３２Ａの回転が阻止されていない状態は調光操作に対応させている。
【００７７】
このように、変形例２のロールスクリーンには、第２スクリーン５ｂの巻き取り、或いは巻き戻しを行う巻取軸４、スライダー５０により構成した第１スクリーン５ａを移動調整するための支持体２０、伝達機構３０（被動歯車３１、及び駆動歯車３３）、及び切り替え機構（伝達歯車３２Ａ、及びブレーキバネ２３）が設けられ、巻取軸４と伝達機構３０によりプーリー１５の正逆回転の切り替えに基づいて昇降操作から調光操作へと連続的に切り替えることができ、支持体２０と切り替え機構（伝達歯車３２Ａ、及びブレーキバネ２３）により調光時に錘部材の上下動を抑制するようになっている。
【００７８】
（変形例２のロールスクリーンの全体動作）
ここで、図８を参照して変形例２のロールスクリーンの全体動作を説明する。変形例２のロールスクリーンにおいても、基本動作は上述した図５と同様であり、ここでは、図８（ａ）に示す下降操作に係る調光操作と、図８（ｂ）に示す上昇操作に係る調光操作について説明する。
【００７９】
〔下降操作に係る調光操作時〕
図８（ａ）には変形例２のロールスクリーンの下降操作に係る調光操作時の動作を概略的に示している。まず、図８（ａ）に示す第１及び第２スクリーン５ａ，５ｂの下降操作の際には、プーリー１５の回転に伴って伝達機構３０（被動歯車３１、及び駆動歯車３３）が図示するように作動し、巻取軸４が第２スクリーン５ｂの巻き戻し方向に回転する。このとき、伝達歯車３２Ａとラック部５０２との噛合で、スライダー５０の上端部と、案内溝４４の上端部との当接で伝達歯車３２Ａの回転が阻止されている状態となるまで、スライダー５０が上方へ移動し、第１スクリーン５ａの上端を取着するスライダー５０の上方への移動に伴い第１スクリーン５ａも上昇する。伝達機構３０は、ウェイトバー６で折り返されて巻取軸４で巻き戻す第２スクリーン５ｂの巻き戻し量と、第１スクリーン５ａを上昇させる上昇量をほぼ等しくするよう動作する。
【００８０】
〔上昇操作に係る調光操作時〕
図８（ｂ）には変形例２のロールスクリーンの上昇操作に係る調光操作時の動作を概略的に示している。まず、図８（ｂ）に示す第１及び第２スクリーン５ａ，５ｂの上昇操作の際には、プーリー１５の回転に伴って伝達機構３０（被動歯車３１、及び駆動歯車３３）が図示するように作動し、巻取軸４が第２スクリーン５ｂの巻き取り方向に回転する。このとき、伝達歯車３２Ａとラック部５０２との噛合で、スライダー５０の下端部と、案内溝４４の下端部との当接で伝達歯車３２Ａの回転が阻止されている状態となるまで、スライダー５０が下方へ移動し、第１スクリーン５ａの上端を取着するスライダー５０の下方への移動に伴い第１スクリーン５ａも下降する。伝達機構３０は、ウェイトバー６で折り返されて巻取軸４で巻き取る第２スクリーン５ｂの巻き取り量と、第１スクリーン５ａを下降させる下降量をほぼ等しくするよう動作する。
【００８１】
従って、図８（ａ），（ｂ）に示す第１及び第２スクリーン５ａ，５ｂの調光操作の際には、ウェイトバー６で折り返されて巻取軸４で巻き取り、或いは巻き戻す第２スクリーン５ｂの移動量と、対応して第１スクリーン５ａを下降、或いは上昇させる移動量はほぼ等しいため、ウェイトバー６及びボトムカバー７は上下動しない。そして、第１及び第２スクリーン５ａ，５ｂを互いに逆方向上下に相対移動操作が可能であり、即ち透光部８と遮光部９との重なり具合を調整し採光量を調節可能とする調光操作が可能となる。
【００８２】
このように、変形例２の構成においても、第１及び第２スクリーン５ａ，５ｂを一括して昇降操作した後に、ボールチェーン１１を逆方向に操作して、駆動歯車３３を逆方向に回転させたときウェイトバー６及びボトムカバー７はほとんど上下動しない調光操作が可能となる。
【００８３】
そして、変形例２の構成においても、その調光動作は、ウェイトバー６及びボトムカバー７が下限位置であるか否かに関わらず同様に動作するため、ウェイトバー６及びボトムカバー７の任意位置での調光機能、或いは通気調整機能を持たせたロールスクリーンを実現できる。
【００８４】
特に、ボトムカバー７が下限位置にあるときに、採光量を調節可能な態様でボトムカバー７の下方からの光漏れを抑制することや、通気量を調節可能な態様でボトムカバー７の下方からの気密性を高めることができる。
【００８５】
また、変形例２に係るウェイトバー６及びボトムカバー７の上下動抑制構造によれば、特許文献２の技法のように、それぞれのスクリーンの下端部にそれぞれ個別に２つのウェイトバーを取着し、この２つのウェイトバーを収容する単一のカバーを設け、このカバーを２つのウェイトバーに対し自重により相対移動可能に構成するよりも、ウェイトバー６及びボトムカバー７の小型化にも寄与することとなる。
【００８６】
また、変形例２の構成においても、前後二重の第１及び第２スクリーン５ａ，５ｂをより近接、或いは密着させる構成としており、その上でウェイトバー６及びボトムカバー７を上下動させることなく、尚且つ第１及び第２スクリーン５ａ，５ｂの弛みを生じさせることなく、採光量の調節動作を行うことができるため、使い勝手が向上する。
【００８７】
以上、特定の実施形態の例を挙げて本発明を説明したが、本発明は前述の実施形態の例に限定されるものではなく、その技術思想を逸脱しない範囲で種々変形可能である。例えば、上述した実施形態の例では、巻取軸４の回転操作のために操作装置１０は、ボールチェーン１１を利用する例を説明したが、この代わりに、紐状の操作コードを利用してもよく、無端状であるか否か、或いは手動操作であるか電動操作であるかを問わず、巻取軸４の回転操作を可能とするものであればよい。
【００８８】
また、上述した実施形態の例では、主として、伝達機構３０及び切り替え機構を操作装置１０側に配置する例を説明したが、伝達機構３０及び切り替え機構は、当該プーリー１５を有する操作装置１０とは別体として設けてもよく、例えば操作装置１０を図１に示すように巻取軸４の右端側に設けているときに、巻取軸４の左端側（反操作装置側）に伝達機構３０及び切り替え機構を設けてもよい。或いは、伝達機構３０及び切り替え機構は、操作装置１０側と反操作装置側の双方に設けてもよい。
【００８９】
また、上述した実施形態の例では、主として、伝達機構３０は、駆動歯車３３等を備える例を説明したが、伝達機構３０は、歯車を利用する代わりに、ベルトやワイヤ等の利用する構成とすることもできる。
【００９０】
また、上述した実施形態の例では、主として、ブレーキバネ２３を制動部材として用いる例を説明したが、ブレーキバネ２３と同様に所定の制動トルクを生じさせるものであればよく、例えばゴム材でもよい。
【産業上の利用可能性】
【００９１】
本発明によれば、前後二重のスクリーンの相対移動による採光量の調整時、更には昇降操作の切り替え時に、錘部材の大型化を抑えつつ錘部材の上下動を抑制可能となるので、前後二重のスクリーンを有するロールスクリーンの用途に有用である。
【符号の説明】
【００９２】
１  取付ブラケット
２  フレーム
３ａ，３ｂ  支持ブラケット
３ｃ  サイドカバー
４  巻取軸
５ａ  第１スクリーン
５ｂ  第２スクリーン
６  ウェイトバー
７  ボトムカバー
８  透光部
９  遮光部
１０  操作装置
１１  ボールチェーン
１５  プーリー
２１  パイプキャップ
２２  カバー
２３  ブレーキバネ
３０  伝達機構
３１  被動歯車
３２，３２Ａ  伝達歯車
３３  駆動歯車
５０  スライダー
【図１】
2019085724.tif 000003
【図２】
2019085724.tif 000004
【図３】
2019085724.tif 000005
【図４】
2019085724.tif 000006
【図５】
2019085724.tif 000007
【図６】
2019085724.tif 000008
【図７】
2019085724.tif 000009
【図８】
2019085724.tif 000010